(57)【要約】【課題】  ペンダントの装着状態において、ペンダントが自重でバランスをとって常に宝飾片が正面に向く、きわめて見栄えの良い装身具用ペンダントを提供すること。【解決手段】  装飾片が取り付けられる装飾片取付部と、装飾片取付部が取り付けられる略球形の台座と、台座に形成されたチェーンが取り付けられるチェーン取付部とを有し、台座の中心から装飾片取付部の位置から所定の角度の範囲内にチェーン取付部が形成される。【選択図】      図１
2007195637.tif 000002
【特許請求の範囲】
【請求項１】
装飾片が取り付けられる装飾片取付部と、
前記装飾片取付部が取り付けられる略球形の台座と、
前記台座に形成されたチェーンが取り付けられるチェーン取付部とを有し、
前記台座の中心から前記装飾片取付部の位置から所定の角度の範囲内に前記チェーン取付部が形成されることを特徴とする装身具用ペンダント。
【請求項２】
請求項１に記載の装身具用ペンダントにおいて、前記所定の角度は９０度〜１３５度の範囲内であることを特徴とする装身具用ペンダント。
【請求項３】
請求項２に記載の装身具用ペンダントにおいて、前記所定の角度は１１０度であることを特徴とする装身具用ペンダント。
【請求項４】
請求項１に記載の装身具用ペンダントにおいて、前記装飾片取付部に取り付けられる装飾片は揺動可能に吊り下げられていることを特徴とする装身具用ペンダント。
【請求項５】
請求項１に記載の装身具用ペンダントにおいて、前記装飾片取付部と前記チェーン取付部とは一体形成されていることを特徴とする装身具用ペンダント。
【請求項６】
請求項１に記載の装身具用ペンダントにおいて、前記チェーン取付部は前記台座を穿設することにより形成されたことを特徴とする装身具用ペンダント。
【請求項７】
請求項１に記載の装身具用ペンダントにおいて、前記台座は前記装飾片取付部が形成された円板状のセンター部材と、この円板を挟むように両側に取り付けられたドーム形状の雄部と雌部とを備えた球形であり、
前記雄部と雌部はセンター部材の中央に穿設された孔に回動自在に軸支されることを特徴とする装身具用ペンダント。
【請求項８】
請求項１に記載の装身具用ペンダントにおいて、前記台座の底部中央には回動自在に車輪が取り付けられていることを特徴とする装身具用ペンダント。
【請求項９】
請求項１に記載の装身具用ペンダントにおいて、前記台座の正面下側には窪みが形成され、この窪みの上側に前記装飾片取付部が形成されていることを特徴とする装身具用ペンダント。
【請求項１０】
請求項１に記載の装身具用ペンダントにおいて、前記台座は球形の形状であることを特徴とする装身具用ペンダント。
【請求項１１】
請求項１に記載の装身具用ペンダントにおいて、前記台座は長球形の形状であることを特徴とする装身具用ペンダント。
【請求項１２】
請求項１に記載の装身具用ペンダントにおいて、前記台座はしずく形の形状であることを特徴とする装身具用ペンダント。
【請求項１３】
請求項１に記載の装身具用ペンダントにおいて、前記装飾片取付部と前記チェーン取付部とは前記台座を斜めに貫通する円柱の棒を介して接続され、前記台座は前記棒を軸として回転可能であることを特徴とする装身具用ペンダント。
【発明の詳細な説明】
【技術分野】
【０００１】
本発明は装身具用ペンダント、より具体的には宝石等を取り付けた装飾片を揺動可能に吊下げた装身具用ペンダントに関する。
【背景技術】
【０００２】
従来より装身具用ペンダントには、多種多様のものがあり、その形も様々であるが、通常、首に介装するためのネックレス用チェーンと、ダイヤモンド等の宝石を取り付けた装飾片からなり、輪環を介して装飾片をチェーンに吊下げるか、あるいはチェーンの両端を装飾片に直接固定するタイプが存在する。
【０００３】
例えば、図１３は、装飾片１１２をネックレス用チェーン１００に吊下げた装飾用ペンダント１１０の使用例を横から見た状態を示したものである。図１３に示すように装飾片１１２は、装飾片が概ね垂直の状態で吊下げられたときにこれに取り付けられたダイヤモンド等の宝石が正面に向いている限りにおいては、美しく輝いて見えるものである。
【０００４】
一方、新しいタイプの装身具として、本願出願人は特願２００１−０８６４７１に記載した装身具用ペンダントを出願している。図１４および図１５は特願２００１−０８６４７１に記載した装身具用ペンダント１２０である。このようなペンダント１２０は、上方にペンダントチェーンが取り付けられるチェーン連結部１２３を備えた台座１２５の背面にテーパー状の定着部１２４を形成し、前面には先端に吊下孔１２８と後方に湾曲部１３０を設けた吊下部１３２が形成されている。吊下孔１２８は、係止環１４２により宝石１４４を取り付けた装飾片１４６を揺動可能に吊り下げるための孔である。
【０００５】
このような構造により、微振動でも装飾片１４６が前後左右に揺れることができるとともに、前だけではなく後方からも宝石１４４に光が入射されるので、宝石１４４が理想的な光の反射を行うことができ、宝石１４４を美しく輝かせてみせることができる。
【発明の開示】
【発明が解決しようとする課題】
【０００６】
しかしながら、従来の装身具用ペンダントでは使用しているときにその装飾片１１２が反り上がったりそり下がったりしてしまうことがあり、ペンダントそのものの美しさが損なわれるだけでなく使用感も悪くなるという問題があった。
【０００７】
図１６は従来のペンダントの使用中におけるこのような状態を示した概略図である。図１６(Ａ)はネックレス用チェーン１００に吊下げられたペンダント１１２の好ましい装着状態を示したものであり、装飾片の台座の背面全体が、例えば、使用者の胸元に面接触している。ところが、夏等の暑い日に汗をかくとペンダント１１２が首の特定の位置で肌に引っ付いてしまいスムーズに上方に移動しなくなることがある。このような状態で体を動かしネックレス用チェーン１００が更に上方向に引っ張られたときに、図１６(Ｂ)に示すように上端の角１１３が係止され、ペンダント１１２が反り上がってしまうことがあった。
【０００８】
反対に、ペンダント１１２が首の特定の位置で肌に引っ付いてしまいスムーズに下方に移動しなくなり、図１６(Ｃ)に示すように下端の角１１４が引っかかった状態でさらにネックレス用チェーン１００が垂れると、ペンダント１１２が反り下がってしまうことがあった。
【０００９】
本発明はこのような従来技術の課題を解決し、ペンダントの装着状態において、ペンダントが自重でバランスをとって常に宝飾片が正面に向く、きわめて見栄えの良い装身具用ペンダントを提供することを目的とする。
【課題を解決するための手段】
【００１０】
本発明は上記課題を解決するための手段として、請求項１に記載された発明は、装飾片が取り付けられる装飾片取付部と、装飾片取付部が取り付けられる略球形の台座と、台座に形成されたチェーンが取り付けられるチェーン取付部とを有し、台座の中心から装飾片取付部の位置から所定の角度の範囲内にチェーン取付部が形成される。
請求項２に記載された発明は、請求項１に記載の装身具用ペンダントにおいて、所定の角度は９０度〜１３５度の範囲内であることを特徴とする。
請求項３に記載された発明は、請求項２に記載の装身具用ペンダントにおいて、所定の角度は１１０度であることを特徴とする。
【００１１】
請求項４に記載された発明は、請求項１に記載の装身具用ペンダントにおいて、装飾片取付部に取り付けられる装飾片は揺動可能に吊り下げられていることを特徴とする。
請求項５に記載された発明は、請求項１に記載の装身具用ペンダントにおいて、装飾片取付部とチェーン取付部とは一体形成されていることを特徴とする。
請求項６に記載された発明は、請求項１に記載の装身具用ペンダントにおいて、チェーン取付部が台座を穿設することにより形成されたことを特徴とする。
【００１２】
請求項７に記載された発明は、請求項１に記載の装身具用ペンダントにおいて、台座は装飾片取付部が形成された円板状のセンター部材と、この円板を挟むように両側に取り付けられたドーム形状の雄部と雌部とを備えた球形であり、雄部と雌部はセンター部材の中央に穿設された孔に回動自在に軸支されることを特徴とする。
請求項８に記載された発明は、請求項１に記載の装身具用ペンダントにおいて、台座の底部中央には回動自在に車輪が取り付けられていることを特徴とする。
請求項９に記載された発明は、請求項１に記載の装身具用ペンダントにおいて、台座の正面下側には窪みが形成され、この窪みの上側に装飾片取付部が形成されていることを特徴とする。
【００１３】
請求項１０に記載された発明は、請求項１に記載の装身具用ペンダントにおいて、台座が球形の形状であることを特徴とする。
請求項１１に記載された発明は、請求項１に記載の装身具用ペンダントにおいて、台座が長球形の形状であることを特徴とする。
請求項１２に記載された発明は、請求項１に記載の装身具用ペンダントにおいて、台座がしずく形の形状であることを特徴とする。
請求項１３に記載された発明は、請求項１に記載の装身具用ペンダントにおいて、装飾片取付部とチェーン取付部とは台座を斜めに貫通する円柱の棒を介して接続され、台座が前記棒を軸として回転可能であることを特徴とするペンダント。
【発明の効果】
【００１４】
本発明によれば、装身具用ペンダントの台座を球形状にしたことにより、その自重でバランスをとり、また八方転がりの球体特性で左右に横回転揺れしながら復元するので、装着中に反り上がったり反り下がったりすることがなくなる。したがって、装飾片を常に美しい状態に維持ことができるとともに、装着感もきわめて良好となる。本発明によればまた、ペンダントそのものの構造をシンプルでかつ部品点数を少なくすることができるので生産性の向上を図ることが可能となる。
【発明を実施するための最良の形態】
【００１５】
次に添付図面を参照して本発明による装身具用ペンダントの実施の形態を詳細に説明する。
図１は本発明による装身具用ペンダントの第１の実施の形態を示す装身具ペンダント１０を図示したものであり、図１(a)は正面図を図１(b)はその側面図をそれぞれ示している。また、図２は装身具用ペンダント１０の斜視図を示したものである。
【００１６】
装身具用ペンダント１０は、例えば、金、銀、プラチナ等の貴金属や真鍮等の金属を原料として形成された台座１２と、例えば、ダイヤモンド、エメラルド、ルビー等の宝石２２を取り付けた装飾片２０と、この装飾片２０を胸元に吊るすために、前記同様の貴金属などを原材料として形成したネックレス用チェーン３０とから構成されている。
【００１７】
台座１２はその形状が球形であることが特徴であり、正面に吊下部１４がまた背面上側（斜め上）にはチェーン連結環１６が形成されている。台座１２の正面に形成された吊下部１４は装飾片２０を吊下げるリング１４aが一体形成された吊下部である。また、チェーン連結環１６はネックレス用チェーン３０が挿通されるチェーン取付部である。このチェーン連結環１６の開口を大きくすることにより、より太径のネックレス用チェーンや、複数本の細径のネックレス用チェーンを編んだもの、真珠ネックレス等を挿通することもできる。
【００１８】
図１(b)に示すように、チェーン連結環１６は台座１２の中心から吊下部１４のリング１４aの中心を結んだ線とチェーン連結環１６の中心を結んだ線との角度が１１０度になる位置に形成されている。装身具用ペンダント１０ではこのように、台座１２の形状を球形とすることと、リング１４aとチェーン連結環１６との位置関係を１１０度にすることで、球体の自重でバランスをとり、また八方転がりの球体特性で左右に横回転揺れしながら復元することができ、反り上がりや反り下がりの発生を防止することができる。なお、図１(b）ではリング１４aとチェーン連結環１６との位置関係を１１０度としたが、例えば９０度から１３５度の範囲であってもよい。
【００１９】
装飾片２０は、宝石２２とこれを巻装する係止環２４および輪環１８により構成されている。宝石２２は係止環２４に形成された複数本の爪部２５で挟持され固定されている。係止環２４の上部には輪環１８が取り付けられ、これが台座１２の吊下部１４に挿通されている。ペンダント１０はこれを身に着けたときに装飾片２０の後ろに十分な隙間ができるので、左右だけでなく前後にも自由に揺動可能である。したがって、前後左右に宝石２２が微細に揺動することにより、静止状態では得られない反射光を宝石２２が放つことが可能となり、宝石２２を美しく輝かせることができる。
【００２０】
図３は本発明による装身具用ペンダントの第２の実施の形態である装身具用ペンダント１１を示したものである。図３(a)は装身具用ペンダント１１の正面図、図３(b)は内部構造を破線で示した側面図、図３(c)は装飾片２０を外したときの正面図である。装身具用ペンダント１１は、図３(b)に示すように、装飾片２０を吊り下げる吊下部１５とネックレス用チェーン３０を挿通するチェーン連結環１７とが、台座１３を斜めに貫通する円柱状の棒１９により接続されている。
【００２１】
台座１３は台座１２と同様に球形の形状であり、材料も台座１２と同様に貴金属等が用いられる。台座１３には棒１９よりも大きな径の孔が、吊下部１５に形成された孔に対して約１１０度の角度で貫通形成されている。吊下部１５は、三日月形の基部を備えており、その上部には装飾片２０の輪環が取り付けられる円形の孔が形成されている。吊下部１５さらに、この基部の背面下側に棒１９が一体形成されている。吊下部１５も台座１３と同様にその材料は貴金属等が用いられる。
【００２２】
図３(e)および図３(d)は装身具ペンダント１１の製造工程の一例を示したものである。図３(e)はチェーン連結環１７が形成される前の部分断面図を示したものであり、吊下部１５に接続された棒１９が台座１３の斜めに貫通形成された孔に挿入されたときの状態を示している。このように、棒１９を台座１３に形成された孔に貫通した後、図３(d)に示すように台座１３から斜めに飛び出た棒１９の部分を矢印Ｂに示すようにリング状に折り曲げる。これにより、棒１９の突出部分がチェーン連結環１７として形成される。
【００２３】
このように装身具用ペンダント１１では、吊下部１５の孔の中心とチェーン連結環１７の中心とを台座１３の中心に対して１１０度にし、さらに台座１３が棒１９を軸に図３(b)の矢印Ａに示すように回動する構造にした。これにより、自重でバランスをとり、また八方転がりの球体特性で左右に横回転揺れしながら復元するのを装身具用ペンダント１０より効果的にできるので、反り上がりや反り下がりの発生を防止することができる。なお、この角度は装身具用ペンダント１０と同様に１１０度に限定されるものではなく、例えば９０度から１３５度の範囲であってもよい。
【００２４】
図４は本発明による装身具ペンダントの第３の実施の形態である装身具用ペンダント４０の正面図(a)と、ネックレス用チェーン３０を外したときの側面図(b)を示したものである。装身具用ペンダント４０において、装身具用ペンダント１０と相違は台座４２にネックレス用チェーン３０のチェーン挿通孔４４が穿設されたことである。
【００２５】
すなわち、台座４２は台座１２と同様に球形の形状であり、同じ原料により形成されている。吊下部４６はリング４６aを備え、台座４２の正面にスポット溶接等で取り付けられている。装身具用ペンダント４０の場合もリング４６aとチェーン挿通孔４４との位置関係を１１０度にすることで、自重でバランスをとり、また八方転がりの球体特性で左右に横回転揺れしながら復元するので、反り上がりや反り下がりの発生を防止することができる。なお、この角度は装身具用ペンダント１０と同様に１１０度に限定されるものではなく、例えば９０度から１３５度の範囲であってもよい。
【００２６】
図５は本発明による装身具用ペンダントの第４の実施の形態である装身具用ペンダント５０を示したものである。図５(a)は装身具用ペンダント５０の正面図を図５(b)はその側面図をそれぞれ示している。装身具用ペンダント５０の特徴は台座５１の両側が回動する構造になっていることである。すなわち、装身具用ペンダント５０は、台座５１がセンター部材５２とこのセンター部材５２に回動自在に取り付けられるドーム形状の回動部材とにより構成されている。
【００２７】
図６はセンター部材５２と回動部材６０をそれぞれ図示したものである。これらセンター部材５２と回動部材６０は装身具用ペンダント１０の台座１２と同じ原料により形成されている。図６(a)はセンター部材５２の側面図を、また図６(b)はセンター部材５２の正面図をそれぞれ示している。これら図に示すようにセンター部材５２は、略円板状の形状であり、下側５４が斜めに切り込まれて細くなっている。
【００２８】
また、センター部材５２の正面には吊下部５８が、背面斜め上側にチェーン連結環５６がそれぞれスポット溶接等で取り付けられている。これら吊下部５８とチェーン連結環５６との位置関係は、図５(b)に示すように前述の実施の形態と同様に１１０度になるように取り付けられている。さらに、センター部材５２の中央には回動部材の軸６２が挿通される孔５５が穿設されている。
【００２９】
図６(c)は回動部材６０を構成する雄部６１と雌部６４とを図示したものである。雄部６１は球の左側を切断したドーム形状であり、中央に円柱の軸６２が一体形成されている。また、雌部６４は球の右側を切断したドーム形状であり、中央に軸６２が嵌合される溝６６が形成されている。図６(d)は軸６２が溝６６に嵌合されてときの状態を示した図である。
【００３０】
実際には、軸６２にはセンター部材５２の孔５５が回動自在に挿通され、その後に雌部６４の溝６６が嵌合される。図６(e)はセンター部材５２と回動部材６０とが取り付けられた状態を示した正面図である。装身具用ペンダント５０の場合は、前述した装身具用ペンダント１０または４０の効果に加え、例えば衣服に接する回動部材６０が回転することでさらに効果的に前転を防ぐことが可能となる。なお、装身具用ペンダント５０の場合も、リング５８とチェーン連結環５６との角度は１１０度としたが、この角度は装身具用ペンダント１０と同様に１１０度に限定されるものではなく、例えば９０度から１３５度の範囲であってもよい。
【００３１】
図７は本発明による装身具用ペンダントの第５の実施の形態である装身具用ペンダント７０を示したものである。図７(a)は装身具用ペンダント７０の正面図を図７(b)はその側面図をそれぞれ示している。また、図８(a)には装身具用ペンダント７０の正面図断面を、図８(b)はその側面図断面をそれぞれ示している。
【００３２】
装身具用ペンダント７０は球形の台座７２の正面に装飾片２０の輪環１９が直接取り付けられる孔７４が穿設され、さらにその下側に窪み７６が形成されている。また、台座７２にはネックレス用チェーン３０のチェーン挿通孔４４が穿設されている。なお、台座７２も装身具用ペンダント１０の台座１２と同様の材料で形成されている。このように、台座７２の正面には輪環１９を直接取り付けるとともに窪み７６を形成することで、前述した装身具用ペンダント１０や４０の効果の他にペンダント全体の厚みを薄くすることができる。
【００３３】
図９は本発明による装身具用ペンダントの第６の実施の形態である装身具用ペンダント８０を示したものである。装身具用ペンダント８０は装身具用ペンダント４０に車輪９０を配設し、また台座８２の周囲に小さな宝石８６を散りばめたものである。図９(a)は装身具用ペンダント８０の正面図を、図９(b)は一部内部構造を破線で示した側面図を、図９(c)は一部内部構造を破線で示した背面図をそれぞれ示している。
【００３４】
図９(b)および(c)に示すように、台座８２の底部には車輪９０の一部が露出するように、車輪９０が正面から見て中央に軸９４により回動自在に軸支されている。図１０は台座８２に車輪９０を取り付けるまでの工程を示した説明図である。台座８２は、図１０(a)に示すように、底部に車輪９０が嵌挿される溝８３が形成されるとともに、側面に車輪９０を軸支する孔８５が穿設されている。
【００３５】
車輪９０は、図１０(b)に示すように、中央に孔９２が穿設されている。車輪９０を台座８２の溝８３に嵌挿した後、図１０(c)に示すように、軸９４を孔８５に挿入する。軸９４は正面から見ると両サイドが台座８２の形状に合わせて円弧状に形成された円柱である。図１０(d)は軸９４を取り付けた状態を示した正面図であり、軸９４を取付後、例えばメッキ加工を施すことで取付後が残らないように処理する。装身具用ペンダント８０の場合は、底部に車輪９０を配設したので、装身具用ペンダント５０と同様の効果を期待できる。
【００３６】
図１１および図１２は台座の形状をこれまでの実施の形態の球形から長球形（図１１）としずく形（図１２）にしたときの実施の形態を示したものである。台座が長球形の装身具用ペンダント９６と台座がしずく形の装身具用ペンダント９８もそれぞれこれまでに説明した実施の形態と同様に、吊下部４６のリング４６aから１１０度の位置にチェーン挿通孔が穿設されている（側面図(b)参照）。なお、これら装身具用ペンダント９６および９８の台座の原料も装身具用ペンダント１０の台座１２と同じであり、同様の効果を期待することができる。
【００３７】
以上、本発明をいくつかの実施の形態により説明したが、本発明はこれに限定されるものではなく、技術的思想が同じ変形または修正は本発明の範疇にふくまれる。
【図面の簡単な説明】
【００３８】
【図１】本発明による装身具用ペンダントの第１の実施の形態を示す装身具用ペンダント１０の正面図(a)と側面図(b)である。
【図２】図１に示した装身具用ペンダント１０の斜視図である。
【図３】本発明による装身具用ペンダントの第２の実施の形態を示す装身具用ペンダント１１の正面図(a)、側面図(b)、装飾片２０を外したときの正面図(c)および製造工程を示す部分断面図(d),(e)である。
【図４】本発明による装身具用ペンダントの第３の実施の形態を示す装身具用ペンダント４０の正面図(a)と側面図(b)である。
【図５】本発明による装身具用ペンダントの第４の実施の形態を示す装身具用ペンダント５０の正面図(a)と側面図(b)である。
【図６】図５に示した装身具用ペンダント５０の台座の分解図と製造工程の一例を示した説明図である。
【図７】本発明による装身具用ペンダントの第５の実施の形態を示す装身具用ペンダント７０の正面図(a)と側面図(b)である。
【図８】図７に示した装身具用ペンダント７０の断面図である。
【図９】本発明による装身具用ペンダントの第６の実施の形態を示す装身具用ペンダント８０の正面図(a)と側面図(b)と背面図(c)である。
【図１０】図９に示した装身具用ペンダント８０の台座８２の製造工程を示す説明図である。
【図１１】本発明による装身具用ペンダントの台座を長球形にしたときの実施の形態を示す装身具用ペンダント９６の正面図(a)と側面図(b)である。
【図１２】本発明による装身具用ペンダントの台座をなみだ形にしたときの実施の形態を示す装身具用ペンダント９８の正面図(a)と側面図(b)である。
【図１３】従来技術における装身具用ペンダントの使用例を示した図である。
【図１４】従来技術における装身具用ペンダントの正面図である。
【図１５】従来技術における装身具用ペンダントの側面図である。
【図１６】従来技術における装身具用ペンダントの反り上がりおよび反り下がりの例を示した図である。
【符号の説明】
【００３９】
１０,４０，５０，７０，８０，９６，９８  装身具用ペンダント
１２，１３，４２，５１，７２，８２  台座
１４，１５，５８  吊下部
１４a リング
１６，１７，５６  チェーン連結環
１８  輪環
２０  装飾片
２２  宝石
２４  係止環
２５  爪部
３０  ネックレス用チェーン
４４  チェーン挿通孔
５２  センター部材
６０  回動部材
７４  孔
７６  窪み
９０  車輪
【図１６】
2007195637.tif 000003
【図１】
2007195637.tif 000004
【図２】
2007195637.tif 000005
【図３】
2007195637.tif 000006
【図４】
2007195637.tif 000007
【図５】
2007195637.tif 000008
【図６】
2007195637.tif 000009
【図７】
2007195637.tif 000010
【図８】
2007195637.tif 000011
【図９】
2007195637.tif 000012
【図１０】
2007195637.tif 000013
【図１１】
2007195637.tif 000014
【図１２】
2007195637.tif 000015
【図１３】
2007195637.tif 000016
【図１４】
2007195637.tif 000017
【図１５】
2007195637.tif 000018